Podtech/llm-jp-corpus-v4-ja_patent huggingface dataset:
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
第１の主表面及び前記第１の主表面とは反対側の第２の主表面を有する可撓性接着テープ構造体であって、前記可撓性接着テープ構造体は、前記第１の主表面上に配置された剥離可能接着層、及び前記第２の主表面上に配置された第１の分離可能接続部材を含み、前記剥離可能接着層は、装着面に接着させ、その後、剥離によって前記装着面から手で取り外すことができる、可撓性接着テープ構造体と、
第１の主表面及び前記第１の主表面とは反対側の第２の主表面を有する硬質面板、並びに前記硬質面板の前記第１の主表面上に配置された第２の分離可能接続部材を含む硬質面板構造体と、
を備える接着装着物品であって、前記第１の分離可能接続部材及び前記第２の分離可能接続部材は、前記可撓性接着テープ構造体及び前記硬質面板構造体を接続する分離可能接続部を形成するために互いに係合するように構成される、接着装着物品。
【請求項２】
前記可撓性接着テープ構造体は、可撓性裏張り層を更に含み、前記剥離可能接着層及び前記第１の分離可能接続部材は、前記可撓性裏張り層の反対側の面上に配置される、請求項１に記載の接着装着物品。
【請求項３】
前記硬質面板構造体は、凹部を形成するように前記硬質面板の周辺の周りに配置されたエプロンを更に含み、前記硬質面板構造体が前記分離可能接続部を介して前記可撓性接着テープ構造体に接続されたとき、前記エプロンの少なくとも一部分が前記装着面に対し押圧され前記装着面と直接接触するように、前記エプロンは位置決めされる、請求項１に記載の接着装着物品。
【請求項４】
基体に接着するように適合された物品支持体であって、
可撓性裏張り層、前記可撓性裏張り層の背面上にコーティングされた剥離可能接着剤を含む可撓性接着テープであって、前記剥離可能接着剤を介して前記基体に接着させ、その後、剥離によって前記基体から手で取り外すことができる、可撓性接着テープと、
硬質板であって、当該硬質板の表面に永続的に取り付けられた装着部材を含む硬質板と、
前記可撓性裏張り層の表面上に配置された第１の接続器部材、及び前記硬質板の背面上に配置された第２の接続器部材を含む分離可能接続器と、
を備え、
前記第１の接続器構成要素及び前記第２の接続器構成要素は、前記硬質板及び前記可撓性接着テープを接続し／前記硬質板を前記可撓性接着テープから分離するために、互いに係合／分離可能である、物品支持体。
【請求項５】
前記硬質板は、前記可撓性接着テープを受け入れる凹部を更に含み、前記硬質板が前記分離可能接続器を介して前記可撓性接着テープに接続されたとき、前記硬質板は前記可撓性接着テープを覆う、請求項４に記載の物品支持体。
【請求項６】
基体に接着するように適合された物品支持体であって、
第１の主表面及び前記第１の主表面とは反対側の第２の主表面を有する可撓性接着テープであって、前記第１の主表面は、前記基体に接着できる剥離解放接着剤を含む、可撓性接着テープと、
第１の主表面及び第１の主表面とは反対側の第２の主表面を有する硬質板であって、第１の主表面は、第１の主表面上に永続的に取り付けられた装着部材を含む、硬質板と、
を備え、
前記接着テープの前記第２の主表面及び前記硬質板の前記第２の主表面は、前記硬質板及び前記可撓性接着テープを脱着可能に接続するために、互いに係合可能である、物品支持体。
【請求項７】
前記硬質板は、前記硬質板の前記第２の主表面の下側部分に配置された支持部材を更に含み、前記硬質支持部材は、前記可撓性接着テープよりも低く垂直に位置決めされ、前記硬質板が前記可撓性接着テープに接続されたときに前記基体と直接接触するように構成される、請求項６に記載の物品支持体。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
対応するヌクレオチド配列を有する複数のサンプルリードを含むシーケンシングデータを受信するステップと、
前記サンプルリードを、前記ヌクレオチド配列に基づき指定座に割り当てるステップであって、対応する指定座に割り当てられる前記サンプルリードは、対応する前記指定座の割り当てリードである、ステップと、
各指定座の前記割り当てリードを解析して、前記割り当てリード内の対応する関心領域（ＲＯＩ）を同定するステップであって、前記ＲＯＩはそれぞれ１つまたは複数の反復モチーフ連続を有し、対応する連続の各反復モチーフは同一のヌクレオチドの組を含む、ステップと、
多数の割り当てリードを有する指定座について、前記ＲＯＩの配列に基づき前記割り当てリードを分類し、その結果、異なる配列を有する前記ＲＯＩが異なる潜在的アレルとして割り当てられるようにするステップであって、各潜在的アレルは、前記指定座内の他の潜在的アレルの配列とは異なる配列を有する、ステップと、
多数の潜在的アレルを有する指定座について、前記潜在的アレルの配列を解析して、前記潜在的アレルの第１アレルが前記潜在的アレルの第２アレルのスタッター産物であると疑われるか否かを判断するステップであって、対応する前記配列内のk（kは整数）個の反復モチーフが前記第１アレルと前記第２アレルの間で付加された、または欠失した場合に、前記第１アレルは前記第２アレルのスタッター産物であると疑われる、ステップを含む、方法。
【請求項２】
多数の潜在的アレルを有する前記指定座について、前記潜在的アレルの配列を解析して、前記第１アレルが前記第２アレルのスタッター産物であると疑われるか否かを判断するステップには、前記第１アレルと前記第２アレルのＲＯＩの長さを比較して、前記第１アレルと前記第２アレルのＲＯＩの長さが、１反復モチーフまたは多数の反復モチーフにより異なるか否かを判断するステップが含まれる、請求項１に記載の方法。
【請求項３】
多数の潜在的アレルを有する前記指定座について、前記潜在的アレルの配列を解析して、前記第１アレルが前記第２アレルのスタッター産物であると疑われるか否かを判断するステップには、付加された、または欠失した前記反復モチーフを同定し、前記付加された、または欠失した反復モチーフが、対応する前記配列において隣接反復モチーフと同一であるか否かを判断するステップが含まれる、請求項１または２に記載の方法。
【請求項４】
kは１または２と等しい、請求項１〜３の何れか一項に記載の方法。
【請求項５】
前記第１アレルと前記第２アレルのＲＯＩの配列間に他のミスマッチがない場合、前記第１アレルは前記第２アレルのスタッター産物である、請求項１〜４の何れか一項に記載の方法。
【請求項６】
前記方法はさらに、少なくとも複数の前記指定座の遺伝子型をコールする遺伝子型プロファイルを生成するステップを含み、疑わしいスタッター産物を有する前記指定座は、前記疑わしいスタッター産物を有することが示される、請求項１〜５の何れか一項に記載の方法。
【請求項７】
前記方法はさらに、少なくとも複数の前記指定座に遺伝子型コールを提供するステップを含み、前記遺伝子型コールの少なくとも１つは、前記少なくとも１つの遺伝子型コールの指定座に疑わしいスタッター産物が存在することを示す、請求項１〜６の何れか一項に記載の方法。
【請求項８】
多数の潜在的アレルを有する各指定座について、前記潜在的アレルに対しコールされた前記サンプルリードの総数をカウントするステップをさらに含む、請求項１〜７の何れか一項に記載の方法であって、前記第１アレルのサンプルリードが、前記第２アレルのサンプルリードの指定の閾値未満である場合、前記第１アレルは前記第２アレルのスタッター産物である、方法。
【請求項９】
前記指定閾値は、前記第２アレルのサンプルリードの約４０％である、請求項８に記載の方法。
【請求項１０】
前記第１アレルのサンプルリードが前記第２アレルのサンプルリードの所定の割合を超える場合、前記疑わしいスタッター産物は別のコントリビュータに由来すると指定される、請求項８に記載の方法。
【請求項１１】
前記第１アレルのサンプルリードが前記第２アレルのサンプルリードの所定の割合未満である場合、前記疑わしいスタッター産物はノイズとして指定される、請求項８に記載の方法。
【請求項１２】
請求項１〜１１の何れか一項に記載の方法であって、前記割り当てリードは第１保存フランキング領域と第２保存フランキング領域を含み、その間に対応する反復セグメントが位置し、各割り当てリードについて、
（ａ）前記第１保存フランキング領域と前記第２保存フランキング領域を含む基準配列を提供するステップと、
（ｂ）前記基準配列の第１フランキング領域の一部を対応する前記割り当てリードに整列させるステップと、
（ｃ）前記基準配列の第２フランキング領域の一部を対応する前記割り当てリードに整列させるステップと、
（ｄ）前記反復セグメントの長さおよび／または配列を求めるステップをさらに含む、方法。
【請求項１３】
ステップ（ｂ）またはステップ（ｃ）の一方または両方で前記フランキング領域の一部を整列させるステップには、
（ｉ）前記反復セグメントに重なる、または隣接するシーディング領域の正確なk-merマッチングを用いることにより、対応する前記保存フランキング領域の前記割り当てリード上での位置を決定するステップと、
（ｉｉ）前記フランキング領域を前記割り当てリードに整列させるステップが含まれる、請求項１２に記載の方法。
【請求項１４】
（ａ）前記シーディング領域には、前記保存されたフランキング領域の複雑度の高い領域が含まれる、
（ｂ）前記シーディング領域は、対応する前記保存されたフランキング領域の複雑度の低い領域を避ける、
（ｃ）前記シーディング領域は前記反復セグメントに直接隣接する、
（ｄ）前記シーディング領域には前記反復セグメントの一部が含まれる、および／または
（ｅ）前記シーディング領域は前記反復セグメントからオフセットしている、
請求項１３に記載の方法。
【請求項１５】
前記ＲＯＩにはショートタンデムリピート（ＳＴＲ）が含まれ、好ましくは、該ＳＴＲは、ＣＯＤＩＳ常染色体ＳＴＲ座、ＣＯＤＩＳ Ｙ-ＳＴＲ座、ＥＵ常染色体ＳＴＲ座、またはＥＵ Ｙ-ＳＴＲ座の少なくとも１つから選択される、請求項１〜１４の何れか一項に記載の方法。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
ドットの光パターンをシーンに向けて投影するプロジェクタであって、前記光パターンは、前記プロジェクタにとって既知であり、異なる奥行きにおけるドット位置を表す投影ドットパターンデータとして保持されている、プロジェクタと、
複数のカメラであって、前記複数のカメラの各カメラは、前記プロジェクタに対して固定されており、異なる視点から、前記シーンの同期された画像をキャプチャするよう構成されている、複数のカメラと、
奥行き推定部であって、
前記同期された画像の各々におけるキャプチャされたドットについてのドット位置を判定し、
前記同期された画像の各々における各ドット位置について、異なる奥行きに対応する信頼度スコアのセットを算出し、ここで、各信頼度スコアは、前記投影ドットパターンデータと、前記同期された画像の各々における当該ドット位置との照合関係と、に基づき、
前記信頼度スコアのセットに基づいて、各ドット位置における奥行きを推定する
よう構成されている奥行き推定部と、
を備えた、システム。
【請求項２】
各ドット位置は、サブ画素位置に対応する、請求項１記載のシステム。
【請求項３】
各信頼度スコアは、ドット位置と前記投影ドットパターンデータとの間の合致近傍の数に基づく、請求項１記載のシステム。
【請求項４】
各信頼度スコアは、キャプチャされたドットの位置を表現するベクトルと、異なる奥行きにおける前記投影ドットパターンデータを表現するパターンベクトルのセットと、に基づく、請求項１記載のシステム。
【請求項５】
前記キャプチャされたドットの位置を表現する前記ベクトルは、前記キャプチャされたドットの位置の周囲の近傍を表現するビットベクトルを含み、前記パターンベクトルのセットは、異なる奥行きにおける投影ドット位置の周囲の近傍を表現するビットベクトルを含み、前記信頼度スコアのセットは、前記異なる奥行きにおける前記投影ドット位置の周囲の前記近傍を表現する前記ビットベクトルのセットに対する、前記キャプチャされたドットの位置の周囲の前記近傍を表現する前記ビットベクトルの近さに基づく、請求項４記載のシステム。
【請求項６】
前記奥行き推定部は、さらに、統計的情報に基づいて、少なくとも１つのドットを除去するよう構成されている、請求項１記載のシステム。
【請求項７】
前記奥行き推定部は、さらに、特定の画素について競合する奥行きをチェックし、競合する奥行きが検出されたときには、前記特定の画素についての信頼度スコアに基づいて、１つの奥行きを選択するよう構成されている、請求項１記載のシステム。
【請求項８】
前記奥行き推定部は、さらに、前記ドット位置の間にある画素についての奥行き値を補間するよう構成されている、請求項１記載のシステム。
【請求項９】
処理デバイスが、画像を処理して、画像内のドット位置を判定するステップであって、前記ドット位置は、サブ画素解像度におけるものである、ステップと、
前記処理デバイスが、異なる奥行きにおける既知のプロジェクタパターンデータにアクセスして、各奥行きにおける信頼度スコアを、当該奥行きにおける前記プロジェクタパターンデータとドット位置データを照合することに基づいて決定することを含む、各ドット位置についての奥行きデータを算出するステップと、
前記処理デバイスが、複数の画素の各画素について、当該画素に関連付けられているドットサブ画素位置についての前記信頼度スコアに基づいて、奥行き値を決定するステップと、
前記処理デバイスが、前記奥行き値に関連付けられている画素の間にある画素についての奥行き値を補間するステップと、
を含む、方法。
【請求項１０】
複数の画素の各画素についての奥行きデータを推定することであって、
投影ドットを用いて照射されたシーンを各々がキャプチャした少なくとも２つの同期された画像を処理して、前記画像におけるドット位置を判定することと、
各画像における各ドット位置について、ドット関連データが、異なる奥行きにおける既知の投影ドットパターンデータとどれくらい良好に合致するかを表す信頼度スコアを決定することと、
前記信頼度スコアを使用して、前記奥行きデータを推定することと、
を含む、推定すること
を含む動作を処理デバイスに実行させるプログラム。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
個体から得られた血液を分析する方法であって、
個体由来の白血球を含む血液サンプルにおいて、サンプル中のＴリンパ球の表面に付着又は接触している個体の自己抗体のレベルを定量化する工程と、
個体由来の血液サンプルにおいて、ＴＣ４ｄ、ＥＣＲ１、ＥＣ４ｄ、ＰＣ４ｄ、ＲＣ４ｄ、ＢＣ４ｄ、ＭＣ４ｄ、及びＧＣ４ｄからなる群から選択される１又は複数のバイオマーカーのレベルをアッセイする工程と、
を含む方法。
【請求項２】
Ｔリンパ球の表面に付着又は接触している個体の自己抗体のレベルは、血液サンプルから得た末梢血単核細胞の集団から測定される、請求項１に記載の方法。
【請求項３】
サンプル中のＴリンパ球は、ＣＤ４＋Ｔｈ１リンパ球、ＣＤ４＋Ｔｈ２リンパ球、及びＣＤ８＋細胞障害性リンパ球からなる群から選択される少なくとも１つのＴリンパ球型によって表される、請求項２に記載の方法。
【請求項４】
全身性紅斑性狼瘡を同定するために個体から得られた血液を分析する方法であって、
（ａ）個体由来の白血球を含む血液サンプルにおいて、サンプル中のＴリンパ球の表面に付着又は接触している個体の自己抗体のレベルを定量化する工程と、
（ｂ）（ａ）におけるレベルを、コントロールＴリンパ球の表面に付着又は接触している自己抗体のレベルと比較する工程と、
（ｃ）個体由来の血液サンプルにおいて、ＴＣ４ｄ、ＥＣＲ１、ＥＣ４ｄ、ＰＣ４ｄ、ＲＣ４ｄ、ＢＣ４ｄ、ＭＣ４ｄ、及びＧＣ４ｄからなる群から選択される１又は複数のバイオマーカーのレベルをアッセイする工程と、
を含み、
（ａ）におけるサンプル由来の自己抗体のレベルの増加と、１又は複数のバイオマーカーのレベルの異常とが、個体の全身性紅斑性狼瘡を同定する方法。
【請求項５】
Ｔリンパ球の表面に付着又は接触している個体の自己抗体のレベルは、血液サンプルから得た末梢血単核細胞の集団から測定される、請求項４に記載の方法。
【請求項６】
サンプル中のＴリンパ球は、ＣＤ４＋Ｔｈ１リンパ球、ＣＤ４＋Ｔｈ２リンパ球、及びＣＤ８＋細胞障害性リンパ球からなる群から選択される少なくとも１つのＴリンパ球型によって表される、請求項５に記載の方法。
【請求項７】
Ｔリンパ球は、ＣＤ４＋Ｔｈ１リンパ球である、請求項５に記載の方法。
【請求項８】
Ｔリンパ球は、ＣＤ４＋Ｔｈ２リンパ球である、請求項５に記載の方法。
【請求項９】
Ｔリンパ球は、ＣＤ８＋細胞障害性リンパ球である、請求項５に記載の方法。
【請求項１０】
個体から得られた血液を分析する方法であって、
（ａ）個体から白血球を含む血液サンプルを得る工程と、
（ｂ）血液サンプルから末梢血単核細胞集団を単離する工程と、
（ｃ）末梢血単核細胞集団を、末梢血単核細胞集団内のＴリンパ球の細胞表面に結合した自己抗体に特異的に結合する検出可能試薬を用いてインキュベートすることで、Ｔリンパ球−自己抗体−検出可能試薬の複合体を形成する工程と、
（ｄ）Ｔリンパ球−自己抗体−検出可能試薬の複合体のレベルを測定する工程と、
（ｅ）個体由来の血液サンプルにおいて、ＴＣ４ｄ、ＥＣＲ１、ＥＣ４ｄ、ＰＣ４ｄ、ＲＣ４ｄ、ＢＣ４ｄ、ＭＣ４ｄ、及びＧＣ４ｄからなる群から選択される１又は複数のバイオマーカーのレベルをアッセイする工程と、
を含む方法。
【請求項１１】
Ｔリンパ球−自己抗体−検出可能試薬の複合体は、フローサイトメトリーによって測定される、請求項１０に記載の方法。
【請求項１２】
個体から得たＴ細胞−自己抗体−検出可能試薬の複合体のレベルを、コントロール血液サンプルから得た類似のＴリンパ球−自己抗体−検出可能試薬の複合体のレベルと比較する工程を更に含んでおり、コントロール血液サンプルと比較した個体の血液サンプル由来のＴリンパ球−自己抗体−検出可能試薬の複合体のレベルの増加と、健康なコントロールのレベルと比較した１又は複数のバイオマーカーのレベルの異常とが、個体の全身性紅斑性狼瘡を同定する、請求項１０に記載の方法。
【請求項１３】
検出可能試薬は、フローサイトメトリーによって検出可能な蛍光標識抗ヒトＩｇ抗体である、請求項１０に記載の方法。
【請求項１４】
蛍光標識抗ヒトＩｇ抗体は、蛍光標識抗ヒトＩｇＧ抗体及び蛍光標識抗ヒトＩｇＭ抗体からなる群から選択される、請求項１３に記載の方法。
【請求項１５】
キットであって、
（ａ）Ｔリンパ球に結合する自己抗体を特異的に認識する蛍光標識抗体であって、抗ＩｇＧモノクローナル抗体又は抗ＩｇＭモノクローナル抗体である抗体と、
（ｂ）随意選択的に、ＣＤ３＋ＣＤ４＋Ｔリンパ球とＣＤ３＋ＣＤ８＋Ｔリンパ球とを識別する系統特異的Ｔリンパ球表面マーカーと反応性のフルオロ結合モノクローナル抗体と、
（ｃ）ＴＣ４ｄ、ＥＣＲ１、ＥＣ４ｄ、ＰＣ４ｄ、ＲＣ４ｄ、ＢＣ４ｄ、ＭＣ４ｄ、およびＧＣ４ｄからなる群から選択される１又は複数のバイオマーカーの定量化に用いるのに適した１又は複数の生化学試薬と、
（ｄ）随意選択的に、全身性紅斑性狼瘡の診断におけるキットと（ａ）、（ｂ）及び（ｃ）の構成要素の使用についての説明書と、
を含むキット。
【請求項１６】
フルオロ結合モノクローナル抗体は、ＣＤ３、ＣＤ４、ＣＤ８、ＣＸＣＲ３、ＣＣＲ４、Ｃｒｔｈ２、ＣＣＲ６、ＣＸＣＲ５、及びＣＤ２５からなる群から選択される特定のＴリンパ球表面マーカーに反応性を有する、請求項１９に記載のキット。
【請求項１７】
非全身性紅斑性狼瘡炎症性疾患又は非全身性紅斑性狼瘡炎症病態とは異なる個体において全身性紅斑性狼瘡を確定的に診断又は観察するためのシステムであって、
プロセッサと、
プログラム命令を含む非一時的なコンピュータ読出可能記憶媒体と、
を備えており、
プログラム命令は、実行されると、
（ａ）個体由来の白血球を含む血液サンプルにおいて、サンプル中のＴリンパ球の表面に付着又は接触している個体の自己抗体のレベルを定量化する工程と、
（ｂ）（ａ）におけるレベルを、コントロールＴリンパ球の表面に付着又は接触している自己抗体のレベルと比較する工程と、
（ｃ）個体由来の血液サンプルにおいて、ＴＣ４ｄ、ＥＣＲ１、ＥＣ４ｄ、ＰＣ４ｄ、ＲＣ４ｄ、ＢＣ４ｄ、ＭＣ４ｄ、及びＧＣ４ｄからなる群から選択される１又は複数のバイオマーカーのレベルをアッセイする工程と、
行うようにプロセッサに命令するように構成されており、
（ａ）におけるサンプル由来の自己抗体のレベルの増加と、１又は複数のバイオマーカーのレベルの異常とが、個体の全身性紅斑性狼瘡を同定する、システム。
【請求項１８】
Ｔリンパ球の表面に付着又は接触している、個体の自己抗体のレベルを、血液サンプルから得た末梢血単核細胞の集団から測定する、請求項１７に記載のシステム。
【請求項１９】
サンプル中のＴリンパ球は、ＣＤ４＋Ｔｈ１リンパ球、ＣＤ＋Ｔｈ２リンパ球、及びＣＤ８＋細胞障害性リンパ球からなる群から選択される少なくとも１つのＴリンパ球型によって表される、請求項１８に記載のシステム。
【請求項２０】
Ｔリンパ球は、ＣＤ４＋Ｔｈ１リンパ球である、請求項１８に記載のシステム。
【請求項２１】
Ｔリンパ球は、ＣＤ４＋Ｔｈ２リンパ球である、請求項１８に記載のシステム。
【請求項２２】
Ｔリンパ球は、ＣＤ８＋細胞障害性リンパ球である、請求項１８に記載のシステム。
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ハウジングと、
入射光を増強する暗視管と、
前記ハウジングと前記暗視管の間の弾性スリーブと、
を備える暗視装置。
【請求項２】
請求項１に記載の暗視装置であって、
前記弾性スリーブは樹脂製である暗視装置。
【請求項３】
請求項１に記載の暗視装置であって、
前記弾性スリーブはＰＥＴ樹脂製である暗視装置。
【請求項４】
請求項１に記載の暗視装置であって、
前記スリーブ及び前記暗視管の前部と、前記ハウジングとの間に、更に圧縮緩衝材を備える、
暗視装置。
【請求項５】
請求項４に記載の暗視装置であって、
前記圧縮緩衝材が前記スリーブと一体である暗視装置。
【請求項６】
請求項１に記載の暗視装置であって、
前記スリーブは前記暗視管の電気接触端子に接続されるポートを有する、暗視装置。
【請求項７】
請求項１に記載の暗視装置であって、
前記スリーブを前記ハウジングに押し付ける保持リングを更に備える、暗視装置。
【請求項８】
請求項７に記載の暗視装置であって、
前記保持リングは前記ハウジングの後部においてねじ山と係合する、暗視装置。
【請求項９】
請求項１に記載の暗視装置であって、
前記暗視管及び前記スリーブの背後に、後部緩衝材を更に備える、暗視装置。
【請求項１０】
請求項９に記載の暗視装置であって、
保持リングが前記後部緩衝材を前記暗視管の後肩部および前記スリーブの裏面に押し付ける、暗視装置。
【請求項１１】
請求項１に記載の暗視装置であって、
電池パックからの光をユーザーの観察眼の視野に伝送するための導光体を更に備える、暗視装置。
【請求項１２】
請求項１に記載の暗視装置であって、
前記ハウジングは、前記暗視管よりも大きな直径の暗視管を収納するように設計されたものである、暗視装置。
【請求項１３】
請求項１に記載の暗視装置であって、前記入射光を増強する暗視管は、収納されるハウジングよりも小さな直径を有する、暗視装置。
【請求項１４】
請求項１に記載の暗視管であって、
前記スリーブは、前記暗視管と前記ハウジングの間において、前記暗視管の直径の小ささを補填するものである、暗視装置。
【請求項１５】
第一の直径を有する暗視管用に設計された暗視装置のハウジング内に、前記第一の直径よりも小さな第二の直径を有する暗視管を搭載する方法であって、
前記第二の直径を有する暗視管を前記ハウジング内に設置するステップと、
前記ハウジングと前記第二の直径を有する暗視管の間において、スリーブにより、前記第二の直径の小ささを補填するステップと、
を備える方法。
【手続補正２】
【補正対象書類名】明細書
【補正対象項目名】００６３
【補正方法】変更
【補正の内容】
【００６３】
以上、本発明の具体例を示し、好ましい実施形態を参照して記述したが、当業者であれば、添付の請求項の範囲を外れない形で、形状および細部の構成について、種々の変更を加え得ることは理解されるであろう。
なお、本発明は、実施の態様として以下の内容を含む。
〔態様１〕
ハウジングと、
入射光を増強する暗視管と、
前記ハウジングと前記暗視管の間の弾性スリーブと、
を備える暗視装置。
〔態様２〕
態様１に記載の暗視装置であって、
前記弾性スリーブは樹脂製である暗視装置。
〔態様３〕
態様１に記載の暗視装置であって、
前記弾性スリーブはＰＥＴ樹脂製である暗視装置。
〔態様４〕
態様１に記載の暗視装置であって、
前記スリーブ及び前記暗視管の前部と、前記ハウジングとの間に、更に圧縮緩衝材を備える、
暗視装置。
〔態様５〕
態様４に記載の暗視装置であって、
前記圧縮緩衝材が前記スリーブと一体である暗視装置。
〔態様６〕
態様１に記載の暗視装置であって、
前記スリーブは前記暗視管の電気接触端子に接続されるポートを有する、暗視装置。
〔態様７〕
態様１に記載の暗視装置であって、
前記スリーブを前記ハウジングに押し付ける保持リングを更に備える、暗視装置。
〔態様８〕
態様７に記載の暗視装置であって、
前記保持リングは前記ハウジングの後部においてねじ山と係合する、暗視装置。
〔態様９〕
態様１に記載の暗視装置であって、
前記暗視管及び前記スリーブの背後に、後部緩衝材を更に備える、暗視装置。
〔態様１０〕
態様９に記載の暗視装置であって、
保持リングが前記後部緩衝材を前記暗視管の後肩部および前記スリーブの裏面に押し付ける、暗視装置。
〔態様１１〕
態様１に記載の暗視装置であって、
電池パックからの光をユーザーの観察眼の視野に伝送するための導光体を更に備える、暗視装置。
〔態様１２〕
態様１に記載の暗視装置であって、
前記スリーブは電池パックから前記暗視管上の電気接触端子に電力を接続させる電子経路を有する、暗視装置。
〔態様１３〕
態様１２に記載の暗視装置であって、
前記電子経路は、前記スリーブに形成された導電経路用切欠きを通り、前記電池パックと前記電気接触端子との間に伸びる導電体を備える、暗視装置。
〔態様１４〕
ハウジングと、
前記ハウジング内に設置され、入射光を増強する、暗視管と、
スリーブとを備え、
前記ハウジングは、前記暗視管よりも大きな直径の暗視管を収納するように設計されたものであり、
前記スリーブは、前記暗視管と前記ハウジングの間において、前記暗視管の直径の小ささを補填するものである、暗視装置。
〔態様１５〕
態様１４に記載の暗視装置であって、
前記スリーブは樹脂製である暗視装置。
〔態様１６〕
態様１４に記載の暗視装置であって、
前記スリーブ及び前記暗視管の前部と、前記ハウジングの間に圧縮緩衝材を更に備える、暗視装置。
〔態様１７〕
態様１４に記載の暗視装置であって、
前記ハウジングに前記スリーブを押し付ける保持リングを更に備える、暗視装置。
〔態様１８〕
態様１４に記載の暗視装置であって、
前記暗視管と前記スリーブの背後に後部緩衝材を更に備える、暗視装置。
〔態様１９〕
態様１４に記載の暗視装置であって、
前記スリーブは電池パックからの電力を前記暗視管上の電気接触端子に接続する電子経路を有する、暗視装置。
〔態様２０〕
態様１９の暗視装置であって、
前記電子経路は、前記スリーブに形成された導電経路用切欠きを通り、前記電池パックと前記電気接触端子との間に伸びる導電体を備える、暗視装置。
〔態様２１〕
第一の直径を有する暗視管用に設計された暗視装置のハウジング内に、前記第一の直径よりも小さな第二の直径を有する暗視管を搭載する方法であって、
前記第二の直径を有する暗視管を前記ハウジング内に設置するステップと、
前記ハウジングと前記第二の直径を有する暗視管の間において、スリーブにより、前記第二の直径の小ささを補填するステップと、
を備える方法。
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
制御手段と複数のセンサとを備え、前記複数のセンサは互いに電気的に絶縁されるとともに、前記制御手段と電気通信し、前記複数のセンサはシート形式を有するジオメンブレンの完全性監視システム。
【請求項２】
前記複数のセンサは複数のシートセンサ又は複数のタイルセンサである請求項１に記載のジオメンブレンの完全性監視システム。
【請求項３】
前記複数のセンサは、物理的に互いに接続されるとともに、互いに電気的に絶縁される請求項１又は請求項２に記載のジオメンブレンの完全性監視システム。
【請求項４】
前記複数のセンサは非導電性の材料によって物理的に接続される請求項３に記載のジオメンブレンの完全性監視システム。
【請求項５】
前記複数のセンサはそれらの間に隙間を有するように互いに離間され、前記隙間は電気的に非導通である請求項１から請求項４のいずれか一つに記載のジオメンブレンの完全性監視システム。
【請求項６】
前記複数のセンサはメッシュの材料から形成される請求項１から請求項５のいずれか一つに記載のジオメンブレンの完全性監視システム。
【請求項７】
前記メッシュの材料は、電気的に導電する前記メッシュの複数の第１の要素と、前記メッシュの他の複数の部分に溶接され又は他の方法で接続される複数の第２の要素とを有し、
前記複数の第２の要素は電気的に非導通である請求項６に記載のジオメンブレンの完全性監視システム。
【請求項８】
前記メッシュは構造強度のために提供される複数の第３の要素を有する請求項６又は請求項７に記載のジオメンブレンの完全性監視システム。
【請求項９】
少なくとも一つのセンサと、請求項１から請求項８のいずれか一つに記載の前記制御手段とを備えるキット。
【請求項１０】
一組のセンサは少なくとも部分的に物理的に連続し、前記各センサは他の前記センサから電気的に絶縁されるジオメンブレンの完全性監視システムのための一組のセンサ。
【請求項１１】
前記センサが導電性材料のシートを備えるジオメンブレンの完全性監視システムのためのセンサ。
【請求項１２】
メッシュの材料から形成される請求項１１に記載のセンサ。
【請求項１３】
前記メッシュの材料は、導電する前記メッシュの複数の第１の要素と、前記メッシュの他の複数の部分に溶接される複数の第２の要素とを備え、前記複数の第２の要素は電気的に非導通である請求項１２に記載のセンサ。
【請求項１４】
複数の第２の要素は前記メッシュの複数のセクションの複数の交差点で接続される請求項１２に記載のセンサ。
【請求項１５】
複数のセンサと、制御手段とを備え、一つの前記センサは少なくとも一つの隣接する前記センサに物理的に接続され、前記複数のセンサは互いに電気的に絶縁され、全ての前記センサは前記制御手段と電子通信するジオメンブレンの完全性監視システム。
【請求項１６】
導電層はメッシュの材料を含む、２層ジオメンブレン完全性監視システムで使用するための導電層。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
一以上のデータプロセッサを使用して、クライアントデバイスから製品ページチェックアウト要求を受信し、
前記一以上のデータプロセッサを使用して、マーチャントとユーザに関連付けられた情報をクエリし、
前記一以上のデータプロセッサを使用して、前記マーチャントのウェブサイトまたはワールドワイドウェブを介して解析を行い、前記ユーザにとって関心がある結果を生成し、
前記一以上のデータプロセッサを使用して、ウォレット関連チェックアウトボタンに埋め込まれる一以上の財政アカウントを表すダイナミック画像を生成し、
前記一以上のデータプロセッサを使用して、前記ダイナミック画像を前記クライアントデバイスに送信し、
前記ダイナミック画像の受信に応じて、前記ダイナミック画像を前記ウォレット関連チェックアウトボタンに埋め込み、
前記クライアントデバイスを使用して、前記ダイナミック画像とともに前記ウォレット関連チェックアウトボタンを表示し、
前記ダイナミック画像は、前記一以上の財政アカウントに対応するカードアートの視覚表示と前記ユーザにとって関心がある前記結果の視覚表示を含み、
前記カードアートの視覚表示は、閾値を考慮して前記一以上の財政アカウントの中の一つの財政アカウントの表示を含むことを特徴とするダイナミックチェックアウトボタンのプロセッサによって実行される方法。
【請求項２】
前記製品ページチェックアウト要求は、一以上のマーチャントの製品リストを閲覧するワールドワイドウェブからもたらされることを特徴とする請求項１に記載の方法。
【請求項３】
前記閾値はカスタム化可能でユーザに特有であることを特徴とする請求項１または２に記載の方法。
【請求項４】
前記閾値は、ユーザのウォレットアカウントへのアクセスに基づいて、カスタム化可能でユーザに特有であることを特徴とする請求項３に記載の方法。
【請求項５】
前記ユーザのウォレットアカウントは、前記ユーザのプロフィール情報、支払方法情報及び送付先住所を格納することを特徴とする請求項４に記載の方法。
【請求項６】
前記解析は、最大キャッシュバックを決定することを含み、前記最大キャッシュバックアカウントを前記ダイナミック画像に示すことを特徴とする請求項１から５のいずれか一項に記載の方法。
【請求項７】
前記ダイナミック画像は、ユーザのデバイスに表示するために前記ウォレット関連チェックアウトボタンのリンク位置に埋め込まれていることを特徴とする請求項１から６のいずれか一項に記載の方法。
【請求項８】
前記ウォレット関連チェックアウトボタンは、ユーザディスプレイ内の領域を占めることを特徴とする請求項１から７のいずれか一項に記載の方法。
【請求項９】
前記ウォレット関連チェックアウトボタンにおける前記埋め込まれたダイナミック画像は、前記ウォレット関連チェックアウトボタンによって占められた前記領域内に表示される前記ダイナミック画像を含むことを特徴とする請求項８に記載の方法。
【請求項１０】
一以上のサーバは、前記一以上のデータプロセッサを含み、前記製品ページチェックアウト要求と前記ダイナミック画像は一以上の通信ネットワークを通じて送信されることを特徴とする請求項１から９のいずれか一項に記載の方法。
【請求項１１】
前記クライアントデバイスは無線デバイスを含むことを特徴とする請求項１から１０のいずれか一項に記載の方法。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
第１の領域についての第１の空気品質示唆を受信するための第１の入力部と、
第２の領域についての第２の空気品質示唆を受信するための入力部と、
前記第１の領域と前記第２の領域との間のドア又は窓の近くにユーザが居るか否かを決定し、前記決定に応じて検出信号を供給するための近接感知構成と、
前記ドア又は窓の状態についての提案を提供するための出力部と、
コンピュータ読み取り可能なコードを保存するためのメモリと、
前記メモリに動作可能に結合されたプロセッサと、
を有し、前記プロセッサは、
前記第１の空気品質示唆を処理し、
前記第２の空気品質示唆を処理し、
前記近接感知構成からの信号を処理し、前記処理された第１の空気品質示唆と前記処理された第２の空気品質示唆との差を算出し、
前記処理された第１の空気品質示唆、又は、前記算出された前記処理された第１の空気品質示唆と前記処理された第２の空気品質示唆との差に基づいて、前記出力部を制御する
するよう構成され、
前記出力部は、前記近接感知構成からの前記検出信号の受信に応じて制御される、システム。
【請求項２】
前記システムは、前記第１の空気品質示唆を測定及び提供するための第１の空気品質センサと、第２の空気品質示唆を測定及び提供するための第２の空気品質センサと、を有する、請求項１に記載のシステム。
【請求項３】
リモートの端末に前記出力を無線で送信するための無線データ送信器を更に有する、請求項１に記載のシステム。
【請求項４】
前記システムは更に、
天候状態、
ノイズレベル、
光量レベル、
前記第２の領域への他のドア又は窓の状態、
前記システムが設置された建物に備えられた前記第１の領域に関する屋外空気品質センサからの空気品質示唆、
前記システムが設置された建物に備えられたものではない前記第１の領域に関する屋外空気品質センサからの空気品質示唆、
前記システムが設置された建物に備えられた屋内空気品質センサからの空気品質示唆、
公衆放送された空気品質警報情報、及び
空調装置からの状態情報
のうち少なくとも３つのパラメータを少なくとも１つのプロセッサの入力部で受信する、請求項１に記載のシステム。
【請求項５】
リモートの端末にデータを無線で送信するための無線送信器を有し、前記送信器は、近接が感知された場合及び／又は前記リモートの端末に問い合わせられた場合にデータを送信するよう構成された、請求項１乃至４のいずれか一項に記載のシステム。
【請求項６】
前記プロセッサは、前記リモートの端末までの距離に依存して、前記リモートの端末にデータを送信するよう構成された、請求項５に記載のシステム。
【請求項７】
前記プロセッサは、
天候又は空気品質の予報、及び
前記第２の領域を前記第１の領域へと結合する全ての窓及びドアの幾何
のうち１つ以上を考慮に入れて前記リモートの端末にデータを送信するよう構成された、請求項５又は６に記載のシステム。
【請求項８】
前記プロセッサは、窓及びドアの向き並びに建物の設計を含む幾何を考慮に入れ、更に時刻を考慮に入れて、どの窓又はドアがいつ開けられるべきかを示すデータを、前記リモートの端末に送信するよう構成された、請求項７に記載のシステム。
【請求項９】
前記出力部は、視覚的出力装置及び音声出力装置を有する出力装置を備え、前記プロセッサは、提案情報を提供するために視覚的出力のみを生成するよう前記出力装置を制御し、警報情報を提供するために視覚的出力及び聴覚的出力を提供するよう表示装置及び音声出力装置を制御するよう構成された、請求項１乃至８のいずれか一項に記載のシステム。
【請求項１０】
屋内空気処置装置を更に有し、前記プロセッサは更に前記屋内空気処置装置を制御するよう構成された、請求項１乃至９のいずれか一項に記載のシステム。
【請求項１１】
前記プロセッサは、
前記システムが用いられるべき位置、
前記第１の領域又は前記第２の領域において予測される汚染物質に関するユーザ入力、及び
前記システムの一部を形成するものではない近隣の空気品質センサから受信されたセンサ情報
のうち１つ以上に依存して、前記システムにより必要とされるセンサ能力の示唆を提供するよう構成された、請求項１乃至１０のいずれか一項に記載のシステム。
【請求項１２】
第１の空気品質の示唆と第２の空気品質示唆とに基づいてドア又は窓の状態についての提案をユーザに提供するための方法において、
プロセッサの第１の入力部において、第１の領域についての第１の空気品質示唆信号を受信するステップと、
前記第１の領域と第２の領域との間のドア又は窓の近くにユーザが居るか否かを検出するための近接感知構成を動作させ、前記検出に応じて検出信号を供給するステップと、
前記プロセッサの第２の入力部において、前記第２の領域についての第２の空気品質示唆信号を受信するステップと、
前記第１の空気品質示唆信号、前記第２の空気品質示唆信号及び前記近接感知構成からの信号を処理し、前記第１の空気品質示唆信号、前記第２の空気品質示唆信号及び算出された相対的な空気品質示唆の処理に基づいて前記ドア又は窓の状態についての提案を前記プロセッサの第１の出力部において提供するステップと、
を有し、前記プロセッサは、前記第１の空気品質示唆信号、又は、前記第１の空気品質示唆と前記第２の空気品質示唆との差に基づいて、前記出力部を制御するよう構成され、前記出力部は、前記前記近接感知構成からの前記検出信号の受信に応じて制御される、空気品質警報方法。
【請求項１３】
前記第１の領域は屋外であり、前記第２の領域は屋内であり、前記処理は、
屋外の天候状態、
屋外のノイズレベル、
屋外の光量レベル、
屋内領域への他のドア又は窓の状態、
前記システムが設置された建物に備えられた屋外空気品質センサからの屋外空気品質示唆、
前記システムが設置された建物に備えられたものではない屋外空気品質センサからの屋外空気品質示唆、
前記システムが設置された建物に備えられた屋内空気品質センサからの屋内空気品質示唆、
公衆放送された空気品質警報情報、及び
空調装置からの状態情報
のうち少なくとも１つを考慮に入れる、請求項１２に記載の方法。
【請求項１４】
前記システムが用いられるべき位置、
前記第１の領域又は前記第２の領域において予測される汚染物質に関するユーザ入力、及び
前記システムの一部を形成するものではない近隣の空気品質センサから受信された空気品質示唆
のうち１つ以上に依存して、前記システムにより必要とされるセンサ能力の示唆を提供するステップを更に有する、請求項１２又は１３に記載の方法。
【請求項１５】
請求項１に記載のシステムと、
前記出力に依存して窓を開閉するためのモータと、
を有する、窓開閉器。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
第１の組成物及び第２の組成物を含む単位剤形の医薬組成物であって、前記第１の組成物は、腸溶性コーティング内にカプセル化された１日用量約５ｇ〜約２０ｇの回腸ブレーキホルモン放出剤を含み、前記腸溶性コーティングは、ｐＨ約７．２〜約７．５においてインビボで溶解して、前記物質を前記対象の回腸及び上行結腸内で放出し、前記対象のＬ細胞からの少なくとも１つの回腸ブレーキホルモンの放出を引き起こし、前記第２の活性組成物は、前記腸溶性コーティングへのオーバーコート内に即時及び／又は早期放出形態で処方され、前記第２の組成物は、対象のメタボリックシンドローム兆候を治療するために、前記第１の組成物と協働する、医薬組成物。
【請求項２】
前記第２の活性組成物が、メトホルミン、ＤＰＰＩＶ阻害剤、プロトンポンプ阻害剤、インスリン抵抗性改善薬、チアゾリジンジオン、ＰＰＡＲモジュレータ、ＰＰＡＲ補助薬剤、αグルコシダーゼ阻害剤、コレセベラム模倣剤、ＨＭＧ−ＣｏＡレダクターゼ阻害剤、アンジオテンシンＩＩ阻害剤、ＰＤＥ−５阻害剤、可逆的アセチルコリンエステラーゼ阻害剤、ＮＭＤＡ受容体アンタゴニスト、βアミロイド蛋白質形成阻害剤、ＡＣＥ阻害剤、抗ウイルス剤、ＧＬＰ−１経路模倣物、短時間作用性ステロイド、及びこれらの混合物からなる群から選択される少なくとも１つの作用剤の有効量を含む、請求項１に記載の組成物。
【請求項３】
前記第２の活性組成物が、メトホルミン、シタグリプチン、サキサグリプチン、メトトレキセート、オランザピン、ドネペジル、メマンチン、リスペリドン、ジプラシドン、コレセベラム又はこれらの混合物を含む、請求項１又は２に記載の組成物。
【請求項４】
前記第２の活性組成物が、メトトレキセート、ロカルセリン、トピラメート、オランザピン、リスペリドン、ジプラシドン又はこれらの混合物を含む、請求項１又は２に記載の組成物。
【請求項５】
前記腸溶性コーティングが、セルロースアセテートトリメリテート（ＣＡＴ）；ヒドロキシプロピルメチルセルロースフタレート（ＨＰＭＣＰ）；ヒドロキシプロピルメチルセルロース；エチルセルロース；及びそれぞれサブコーティングを含有するヒドロキシプロピルメチルセルロースとエチルセルロースとの混合物；ポリビニルアセテートフタレート（ＰＶＡＰ）；セルロースアセテートフタレート（ＣＡＰ）；シェラック；メタクリル酸とアクリル酸エチルとのコポリマー；重合中にメタクリル酸のモノマーが添加された、メタクリル酸とエチルアクリレートのコポリマー；並びにこれらの混合物からなる群から選択される１つ以上の組成物を含む、請求項１〜４のいずれかに記載の医薬組成物。
【請求項６】
前記腸溶性コーティングが、シェラック、Ｅｕｄｒａｇｉｔ（登録商標）Ｌ、Ｅｕｄｒａｇｉｔ（登録商標）Ｓ、Ｅｕｄｒａｇｉｔ（登録商標）ＲＬ、Ｅｕｄｒａｇｉｔ（登録商標）ＲＳ、及びこれらの混合物からなる群から選択される１つ以上の組成物を含む、請求項１〜５のいずれかに記載の医薬組成物。
【請求項７】
前記医薬組成物が、回腸ブレーキホルモン放出物質として精製糖を含む第１の組成物と、メトホルミンを含む第２の組成物とを含み、前記メトホルミン及び前記精製糖が、メトホルミンおよそ０．０２５〜０．０５：精製糖１．０の重量比で前記医薬組成物中に含まれる、請求項１〜６のいずれかに記載の医薬組成物。
【請求項８】
前記第１の活性組成物が、およそ６０〜９０％のデキストロース及び約２０〜４０％の植物由来脂質を含む、請求項１〜７のいずれかに記載の医薬組成物。
【請求項９】
前記医薬組成物が、回腸ブレーキホルモン放出物質として精製糖を含む第１の組成物と、スタチンを含む第２の組成物とを含み、前記スタチン及び前記糖が、スタチンおよそ０．００１〜０．００５：精製糖１．０の重量比で前記医薬組成物中に含まれる、請求項１〜６のいずれかに記載の医薬組成物。
【請求項１０】
１つ以上の前記スタチンが、アトルバスタチン、シンバスタチン、プラバスタチン、ロスバスタチン、ロバスタチン、フルバスタチン及びピタバスタチンからなる群から選択される、請求項９に記載の医薬組成物。
【請求項１１】
前記第１の活性組成物が、およそ６０〜９０％の精製糖、０〜４０％の植物由来脂質及び０〜４０％の植物由来脂質を含む、請求項１〜１０のいずれかに記載の医薬組成物。
【請求項１２】
前記第１の活性組成物が、およそ６０〜９０％の精製糖、０〜４０％の植物由来脂質、０〜４０％の植物由来脂質、及び０〜４０％のプロバイオティック生物を含む、請求項１〜１１のいずれかに記載の医薬組成物。
【請求項１３】
前記第１の活性組成物が、およそ６０〜９０％の精製糖、０〜４０％の植物由来脂質、０〜４０％の植物由来脂質、０〜４０％のプロバイオティック生物、及び任意で有効量の香味料を含む、請求項１〜１２のいずれかに記載の医薬組成物。
【請求項１４】
前記第２の活性組成物が、前記医薬組成物の０〜４０重量％を構成し、メトホルミン、ＤＰＰ−ＩＶ阻害剤、プロトンポンプ阻害剤、抗炎症コルチコステロイド、止瀉剤、テデュグルチド、ホスホジエステラーゼ−ＩＶ阻害剤、ＡＣＥ阻害剤、βブロッカー、及び抗炎症剤からなる群から選択される、請求項１に記載の医薬組成物。
【請求項１５】
前記第２の活性組成物が、前記医薬組成物の０〜４０重量％を構成し、メトホルミン、ＤＰＰ−ＩＶ阻害剤、プロトンポンプ阻害剤、インスリン抵抗性改善薬、チアゾリジンジオン、ＰＰＡＲモジュレータ、ＰＰＡＲ補助薬剤、αグルコシダーゼ阻害剤、コレセベラム模倣剤、ＨＭＧ−ＣｏＡレダクターゼ阻害剤、アンジオテンシンＩＩ阻害剤、ＰＤＥ−５阻害剤、可逆的アセチルコリンエステラーゼ阻害剤、ＮＭＤＡ受容体アンタゴニスト、βアミロイド蛋白質形成阻害剤、ＡＣＥ阻害剤、抗ウイルス剤、ＧＬＰ−１経路模倣物、短時間作用性コルチコステロイド、及びこれらの混合物からなる群から選択される、請求項１に記載の医薬組成物。
【請求項１６】
前記第２の活性組成物又は前記追加の活性剤が、メトホルミン、シタグリプチン、サキサグリプチン、メトトレキセート、オランザピン、ドネペジル、メマンチン、リスペリドン、ジプラシドン、コレセベラム又はこれらの混合物を含む、請求項１〜８のいずれかに記載の医薬組成物。
【請求項１７】
前記第２の活性組成物又は前記追加の活性剤が、メトトレキセート、ロカルセリン、トピラメート、オランザピン、リスペリドン、ジプラシドン又はこれらの混合物を含む、請求項１〜８のいずれかに記載の医薬組成物。
【請求項１８】
前記第２の活性組成物が、約７０〜約１５０ｍｇのメトホルミンを含む、請求項１〜８のいずれかに記載の医薬組成物。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
アポリポタンパク質（アポＥ）の受容体結合ドメインと脂質関連ペプチドとを含む合成アポＥ模倣ペプチドであって、
前記合成アポＥ模倣ペプチドは、脂肪酸部分、ω−アミノ脂肪酸部分、またはアセチル化ω−アミノ脂肪酸部分を含む、前記合成アポＥ模倣ペプチド。
【請求項２】
前記合成アポＥ模倣ペプチドが、脂肪酸部分を含む、請求項１に記載のペプチド。
【請求項３】
前記脂肪酸部分が、８〜１４の炭素原子の長さである、請求項２に記載のペプチド。
【請求項４】
前記脂肪酸部分が、カプリル酸、ペラルゴン酸、カプリン酸、ウンデシル酸、ラウリン酸、トリデシル酸又はミリスチン酸である、請求項３に記載のペプチド。
【請求項５】
前記脂肪酸部分、前記ω−アミノ脂肪酸部分、または前記アセチル化ω−アミノ脂肪酸部分が、前記ペプチドのＮ末端にある、請求項１に記載のペプチド。
【請求項６】
前記脂質関連ペプチドが、クラスＡの両親媒性の螺旋ドメインを含む、請求項１に記載のペプチド。
【請求項７】
アポＥの前記受容体結合ドメインが、ＬＲＫＬＲＫＲＬＬＲ（配列番号４）、ＬＲＲＬＲＲＲＬＬＲ（配列番号１１）、ＬＲＫＭＲＫＲＬＭＲ（配列番号７）、ＲＬＴＲＫＲＧＬＫ（配列番号１３）、ＬＲＲＭＲＲＲＬＭＲ（配列番号６２１）、またはＲＬＴＲＲＲＧＫ（配列番号６２２）である、請求項１に記載のペプチド。
【請求項８】
請求項１〜７のいずれか１項に記載の合成アポリポタンパク質Ｅ模倣ペプチドを含み、且つ薬学上許容可能な担体を含んでいてもよい、医薬組成物。
【請求項９】
ＬＤＬ及び／又はＶＬＤＬの対象の細胞への結合を高めるため、
対象の細胞によるＬＤＬ及び／又はＶＬＤＬの分解を増加させるため、
対象におけるＬＤＬ及び／又はＶＬＤＬコレステロールを低下させるため、及び／又は
対象におけるコレステロールの血漿中総濃度を低下させるための、請求項１〜７のいずれか１項に記載の合成アポリポタンパク質Ｅ模倣ペプチドを含み、且つ薬学上許容可能な担体を含んでいてもよい医薬組成物。
【請求項１０】
請求項１〜７のいずれか１項に記載の合成アポリポタンパク質Ｅ模倣ペプチドを含み、且つ薬学上許容可能な担体を含んでいてもよい、血漿コレステロールを減少させるための医薬組成物。
【請求項１１】
請求項１〜７のいずれか１項に記載の合成アポリポタンパク質Ｅ模倣ペプチドを含み、且つ薬学上許容可能な担体を含んでいてもよい、アテローム性動脈硬化症を治療するための医薬組成物。
【請求項１２】
請求項１〜７のいずれか１項に記載の合成アポリポタンパク質Ｅ模倣ペプチドを含み、且つ薬学上許容可能な担体を含んでいてもよい、脂質障害を治療するための医薬組成物。
【請求項１３】
請求項１〜７のいずれか１項に記載の合成アポリポタンパク質Ｅ模倣ペプチドを含み、且つ薬学上許容可能な担体を含んでいてもよい医薬組成物であって、
前記合成アポリポタンパク質Ｅ模倣ペプチドは、少なくとも１回の治療サイクル期の間投与され、
前記合成アポリポタンパク質Ｅ模倣ペプチドは、前記治療サイクル期の後に続く休止期の間は投与されず、且つ
前記合成アポリポタンパク質Ｅ模倣ペプチドの中止後に治療効果が持続する、前記医薬組成物。
【請求項１４】
請求項１〜７のいずれか１項に記載の合成アポリポタンパク質Ｅ模倣ペプチド含み、且つ薬学上許容可能な担体を含んでいてもよい、急性冠症候群（ＡＣＳ）を治療するための医薬組成物であって、
前記合成アポリポタンパク質Ｅ模倣ペプチドは、少なくとも１回の治療サイクル期の間投与され、
前記合成アポリポタンパク質Ｅ模倣ペプチドは、前記治療サイクル期の後に続く休止期の間は投与されず、且つ
前記合成アポリポタンパク質Ｅ模倣ペプチドの中止後に治療効果が持続する、前記医薬組成物。
【請求項１５】
請求項１〜７のいずれか１項に記載の合成アポリポタンパク質Ｅ模倣ペプチドに特異的に結合するモノクローナル抗体。